(57)【要約】      （修正有）【課題】偽造の発見及び偽造行為の防止について信頼性が高いとともに、より合理的に構成された特殊景品及びその計数装置を提供する。【解決手段】ケースの内部に貴金属を設けてなる特殊景品１００において、ケースの内部には、貴金属とは別の金属片を配置する金属片配置部を複数設け、当該特殊景品は、ケースの内部に設ける貴金属の種類に応じて複数の金属片配置部に対する金属片の配置パターンを変更するようにした。計数装置は、特殊景品を搬送する搬送手段６００と、金属片の配置パターンを読み取る第１センサ７００と、貴金属の導電率を検出する第２センサ８００とを備え、特殊景品が搬送手段により第１センサの検出位置及び第２センサの検出位置を通過するものであり、金属片の配置パターンに基づいて特殊景品の代価をカウントするとともに、貴金属の導電率に基づいて特殊景品の真贋を判断する。【選択図】図１
2012019972.tif 000002
【特許請求の範囲】
【請求項１】
ケースの内部に貴金属を設けてなる特殊景品において、
前記ケースの内部には、前記貴金属とは別の金属片を配置する金属片配置部を複数設け、
当該特殊景品は、前記ケースの内部に設ける前記貴金属の種類に応じて前記複数の金属片配置部に対する前記金属片の配置パターンを変更するようにしたことを特徴とする特殊景品。
【請求項２】
ケースの内部に貴金属を設けてなる特殊景品の代価をカウントする計数装置において、
前記ケースの内部には、前記貴金属とは別の金属片を配置する金属片配置部を複数設け、
前記特殊景品は、前記ケースの内部に設ける前記貴金属の種類に応じて前記複数の金属片配置部に対する前記金属片の配置パターンを変更するようにし、
当該計数装置は、前記特殊景品を搬送する搬送手段と、前記金属片の配置パターンを読み取る第１センサと、前記貴金属の導電率を検出する第２センサとを備え、
前記特殊景品が前記搬送手段により前記第１センサの検出位置及び前記第２センサの検出位置を通過するものであり、
前記金属片の配置パターンに基づいて前記特殊景品の代価をカウントするとともに、前記貴金属の導電率に基づいて前記特殊景品の真贋を判断することを特徴とする特殊景品の計数装置。
【発明の詳細な説明】
【技術分野】
【０００１】
本発明は、パチンコやスロットマシンで獲得した遊戯媒体に応じて交換される特殊景品、及び特殊景品の代価をカウントする計数装置に関する。
【背景技術】
【０００２】
一般に、特殊景品としては、カード型のケースの内部に貴金属及びＩＣ回路を設け、ＩＣ回路に景品としての代価をはじめとする各種情報を記憶させたものが知られている。特殊景品の代価は、貴金属の種類に応じて異なる。
【０００３】
特許文献１には、特殊景品の対価をカウントするとともに貴金属の導電率を検出してその真贋を判断する計数装置が開示されている。ＩＣ回路を備えた特殊景品は、その記憶情報に基づいて流通されるため、貴金属のみを偽物に置き換えるなどの偽造を防止する構成が重要とされる。特許文献１の計数装置は、こうした偽造行為を防止するべく、貴金属の真贋を判断する構成となっている。
【先行技術文献】
【特許文献】
【０００４】
【特許文献１】特開２０１０−８２２０９号公報
【発明の概要】
【発明が解決しようとする課題】
【０００５】
さて、この種の特殊景品の流通事情を考慮すると、特殊景品の代価は、貴金属の価値とほぼ同等であることが望ましい。この点、ケースの内部にＩＣ回路を設けることによれば、特殊景品の製造コストが上がるとともに、情報の書込みが可能な記憶装置としての機能が付加されるため、これが特殊景品として相応しくないと判断される場合が考えられる。
【０００６】
前述した特許文献１は、本願出願人が先に出願したものである。偽造防止の点で優れたものであるところ、これに対し、本願発明者は、コスト及び流通事情の観点から、ＩＣ回路のような記憶担体を用いずに特殊景品の代価を識別するための工夫が必要であると考えた。
【０００７】
本発明は、かかる事情に鑑みてなされたものであり、その目的は、偽造の発見及び偽造行為の防止について信頼性が高いとともに、より合理的に構成された特殊景品及びその計数装置を提供することである。
【課題を解決するための手段】
【０００８】
本願第１請求項に記載した発明は、ケースの内部に貴金属を設けてなる特殊景品において、前記ケースの内部には、前記貴金属とは別の金属片を配置する金属片配置部を複数設け、当該特殊景品は、前記ケースの内部に設ける前記貴金属の種類に応じて前記複数の金属片配置部に対する前記金属片の配置パターンを変更するようにした構成の特殊景品である。
【０００９】
本願第２請求項に記載した発明は、ケースの内部に貴金属を設けてなる特殊景品の代価をカウントする計数装置において、前記ケースの内部には、前記貴金属とは別の金属片を配置する金属片配置部を複数設け、前記特殊景品は、前記ケースの内部に設ける前記貴金属の種類に応じて前記複数の金属片配置部に対する前記金属片の配置パターンを変更するようにし、当該計数装置は、前記特殊景品を搬送する搬送手段と、前記金属片の配置パターンを読み取る第１センサと、前記貴金属の導電率を検出する第２センサとを備え、前記特殊景品が前記搬送手段により前記第１センサの検出位置及び前記第２センサの検出位置を通過するものであり、前記金属片の配置パターンに基づいて前記特殊景品の代価をカウントするとともに、前記貴金属の導電率に基づいて前記特殊景品の真贋を判断する構成の特殊景品の計数装置である。
【発明の効果】
【００１０】
本発明によれば、偽造の発見及び偽造行為の防止について信頼性が高いとともに、より合理的に構成された特殊景品及びその計数装置を得ることができる。
【図面の簡単な説明】
【００１１】
【図１】本発明の実施例に係り、計数装置を示す説明図である。
【図２】本発明の実施例に係り、（ａ）は特殊景品を示す正面図、（ｂ）は（ａ）のＸ−Ｘ断面図である。
【図３】本発明の実施例に係り、特殊景品の分解断面図である。
【図４】本発明の実施例に係り、第１ケース部材を示す正面図である。
【図５】本発明の実施例に係り、金属片の配置パターンを示す説明図である。
【図６】本発明の実施例に係り、計数装置の制御を示すフローチャートである。
【発明を実施するための形態】
【００１２】
以下に、本発明の実施例を図面に基づいて説明する。図１に示す本例の計数装置１は、特殊景品１００の代価をカウントするものである。図２乃至４に示すように、本例の特殊景品１００は、ケース１１０の内部に貴金属１３０を設けてなるものである。貴金属１３０としては、金又はプラチナといった小型のプレートを採用している。
【００１３】
この特殊景品１００は、カード型のものである。ケース１１０は、その厚さ方向に第１ケース部材１１１及び第２ケース部材１１２を接合して構成されている。また、ケース１１０の内部には、貴金属１３０とは別の金属片１２０を配置する金属片配置部１１１ａを複数設けている。特殊景品１００は、ケース１１０の内部に設ける貴金属１３０の種類に応じて複数の金属片配置部１１１ａに対する金属片１２０の配置パターンを変更する構成となっている。金属片１２０としては、コイン型の鉄製のプレートを採用している。
【００１４】
金属片１２０及び貴金属１３０は、第１ケース部材１１１及び第２ケース部材１１２の間に設けられている。各ケース部材１１１，１１２は、所定の形状に射出成形された合成樹脂製の部材であり、それらの一方には、金属片１２０を配置する金属片配置部１１１ａと、貴金属１３０を配置する貴金属配置部１１１ｂが設けられている。
【００１５】
各ケース部材１１１，１１２は、それらの一方に金属片１２０及び貴金属１３０を配置し、これに他方を接着剤で張り合わせて接合される。金属片配置部１１１ａ及び貴金属配置部１１１ｂは、その貼り合せ面に形成された凹状の部位である。また、第１ケース部材１１１及び第２ケース部材１１２の少なくとも一方には、貴金属１３０を目視可能とする透明部１１２ａが設けられている。
【００１６】
複数の金属片配置部１１１ａに対する金属片１２０の配置パターンは、そのケース１１０に設けられる貴金属１３０の種類と対応づけられている。計数装置１は、金属片１２０の配置パターンを読み取ることにより、特殊景品１００の種類、すなわちその特殊景品１００に設けられた貴金属１３０の種類を判別するものとなっている。特殊景品１００の対価は、貴金属１３０の種類によって異なる。
【００１７】
金属片配置部１１１ａの位置や数、及び金属片配置部１１１ａに対する金属片１２０の配置パターンは、特に限定はしないが、図５には、その一例として本例の構成を示す。同図に示すように、金属片配置部１１１ａは、第１ケース部材１１１の四隅近傍にそれぞれ設けられており、貴金属配置部１１１ｂは、第１ケース部材１１１の中央に設けられている。金属片配置部１１１ａの位置、及び貴金属配置部１１１ｂの位置は、矩形のケース１１０に対し、その正面から見て上下左右対称となるように設けられている。
【００１８】
ケース１１０を扱う際にその裏表及び上下方向を区別しない場合、判別できる金属片１２０の配置パターンは、次の通りである。（ａ）金属片１２０を１つ配置したもの。（ｂ）金属片１２０を上下方向に並べて２つ配置したもの。（ｃ）金属片１２０を対角に２つ配置したもの。（ｄ）金属片１２０を左右方向に並べて２つ配置したもの。（ｅ）金属片１２０を３つ配置したもの。（ｆ）金属片１２０を４つ配置したもの。尚、金属片１２０を配置しないものも、金属片１２０を配置したものと区別することは可能である。
【００１９】
本例の計数装置１は、当該装置を制御する制御手段２００と、データ解読用の初期設定データ及びカウント情報等を記憶する記憶手段３００と、当該装置を操作する操作手段４００と、カウント結果等の所定の情報を表示する表示手段５００と、特殊景品１００を搬送する搬送手段６００と、金属片の配置パターンを読み取る第１センサ７００と、貴金属１３０の導電率を検出する第２センサ８００とを備えている。そして、特殊景品１００が搬送手段６００により第１センサ７００の検出位置及び第２センサ８００の検出位置を通過するものであり、金属片１２０の配置パターンに基づいて特殊景品１００の対価をカウントするとともに、貴金属１３０の導電率に基づいて特殊景品１００の真贋を判断する構成となっている。
【００２０】
制御手段２００は、ＣＰＵ、ＲＡＭ、ＲＯＭ等を配置した基板からなり、記憶手段３００は、その基板に配置したＥＥＰＲＯＭである。ＥＥＰＲＯＭは、電気的に内容の変更が可能なＰＲＯＭであり、本例では、フラッシュメモリを採用している。
【００２１】
操作手段４００は、カウントの開始や終了等を操作するプッシュ式の操作ボタン等を複数配列して構成されている。
【００２２】
表示手段５００としては、デジタル表示部又は液晶ディスプレイを採用している。
【００２３】
搬送手段６００は、その駆動源たるモータ６１０と、一対のプーリ６２０と、プーリ６２０に装着されたベルト６３０と、景品１００を重ねてセットするセット部６４０とを備え、カウントの開始とともにモータ６１０が駆動することにより、セット部６４０にセットされた特殊景品１００が、ベルト６３０の移動に伴い連続して一枚ずつ各センサ７００，８００の検出位置を通過する構成となっている。図１中の白矢印は、特殊景品１００の排出方向を示している。
【００２４】
第１センサ７００は、振動子とコイルからなる金属探知機である。振動子から発生する交流電流がコイルを通過することによって磁場が発生し、金属片１２０がそのコイル付近を通過すると電磁誘導の効果から渦電流が発生し、そこでも交流磁場が発生する。すなわち、特殊景品１００の通過に伴う磁場の変化を探知することで金属片１２０の配置位置及び配置個数を探知し、これを金属片１２０の配置パターンとして読み取る構成となっている。制御手段２００によると、検出情報に応じて特殊景品１００の種類毎の個数と、それらの代価のトータルがカウントされ、カウント情報が表示手段５００に表示される。
【００２５】
第２センサ８００は、駆動コイルにて交流磁界を発生して貴金属１３０に渦電流を生じさせ、これを検出コイルにて検出することにより、貴金属１３０の導電率を検出するものである。記憶手段３００には、特殊景品１００に設けられた貴金属１３０固有の導電率が記憶されており、制御手段２００は、第１センサ７００にて検出された特殊景品１００の代価と、第２センサ８００にて検出された貴金属１３０の導電率とを照合し、それらが一致することを確認することにより、特殊景品１００の真贋を判断する。
【００２６】
図６は、この計数装置１の制御を示すフローチャートである。特殊景品１００の対価のカウントは、オペレータが特殊景品１００をセット部６４０にセットした後、操作手段４００の所定のボタンを押すことによって開始される（Ｓ１）。カウントが開始されると、搬送手段６００、第１センサ７００、及び第２センサ８００が作動し（Ｓ２）、セット部６４０にセットされた特殊景品１００が１つずつカウントされていく。
【００２７】
カウントが終了すると（Ｓ３）、搬送手段６００、第１センサ７００、及び第２センサ８００が停止し（Ｓ４）、カウント情報が表示手段５００に表示される（Ｓ５）。
【００２８】
また、カウント時においては、貴金属１３０の導電率の値が正常であることが確認される（Ｓ６）。すなわち、特殊景品１００が第１センサ７００及び第２センサ８００を通過すると同時に、その特殊景品１００の金属片１２０の配置パターンと貴金属１３０の導電率とを照合し、それらが不一致の場合は、搬送手段６００、第１センサ７００、及び第２センサ８００が停止し（Ｓ７）、エラー表示が表示手段５００に表示される（Ｓ８）。
【００２９】
このような構成によると、貴金属１３０が異なる偽造品は、見た目が精巧に造られていても、これを速やかに発見することができる。貴金属１３０を取り出して真鍮製の偽物に置き換えたとしても、それがカウントされることはない。
【００３０】
以上説明したように、本例の特殊景品の計数装置は、特殊景品の偽造の発見、及び偽造行為の防止という点で極めて信頼性の高いものである。この種の特殊景品を流通する場合は、貴金属を抜き出して復元する行為を防止する必要があるところ、本例の計数装置よれば、特殊景品の対価をカウントする際に貴金属の導電率に基づいて特殊景品の真贋を判断するので、偽造品の流通を未然に防ぐことができる。また、ＩＣ回路やバーコードといった記憶担体を設けずとも種類が異なる特殊景品の代価を判別することができる。すなわち、特殊景品の製造時にケースの内部に金属片を設けることにより、その特殊景品の代価情報が決定されるので、製造後に代価情報を付加する、或は代価情報が書き換え可能なものと比較すると、より信頼性が高いものとなっている。尚、本例における各部の構成は、特許請求の範囲に記載した技術的範囲において適宜に設計変更が可能であり、図例説明したものに限定されないことは勿論である。
【産業上の利用可能性】
【００３１】
本発明の特殊景品の計数装置は、パチンコやスロットマシンで獲得した遊戯媒体に応じて交換される特殊景品の対価をカウントする装置として好適に利用することが可能である。
【符号の説明】
【００３２】
１    計数装置
１００    特殊景品
１１０    ケース
１１１    第１ケース部材
１１１ａ    金属片配置部
１１１ｂ    貴金属配置部
１１２    第２ケース部材
１１２ａ    透明部
１２０    金属片
１３０    貴金属
２００    制御手段
３００    記憶手段
４００    操作手段
５００    表示手段
６００    搬送手段
６１０    モータ
６２０    プーリ
６３０    ベルト
６４０    セット部
７００    第１センサ
８００    第２センサ
【図１】
2012019972.tif 000003
【図２】
2012019972.tif 000004
【図３】
2012019972.tif 000005
【図４】
2012019972.tif 000006
【図５】
2012019972.tif 000007
【図６】
2012019972.tif 000008